Podtech/llm-jp-corpus-v4-ja_patent huggingface dataset:
(57)【要約】【課題】蓄熱性の高い金属の特性をレースに付加し、より暖かく柔軟性のあるレースを提供する事を目的とする。【解決手段】レースに金属をスパッタリング法で密着させた金属層とレース部分からなる。このように構成することにより、金属の薄膜が繊維に密着し、赤外線吸収機能で、体内から発散される熱線を吸収するので高い蓄熱効果を持つ。このため薄手のレースでも保温効果を上げることができる。またスパッタリング法で金属を密着させることにより、密着強度が高く、かつ繊維の柔軟性を変えないため、肌にやさしくさらに加工しやすいという特徴がある。【選択図】図１
2006124894.tif 000002
【特許請求の範囲】
【請求項１】
金属をレースの表面にスパッタリング法で密着させたことを特徴とするレース。
【請求項２】
レースの繊維としては合成繊維のポリエステル、ナイロン、アクリル、ポリウレタン、ポリエチレン、ポリプロピレンあるいはその混紡である請求項１のレース。
【請求項３】
金属はチタン、銀、銅、ステンレス、ニッケルまたはこれらの金属の合金を特徴とする請求項１のレース。
【発明の詳細な説明】
【技術分野】
【０００１】本発明は女性用のショーツやブラジャーなどの下着に用いられる。金属または合金をレースの片面あるいは、両面にスパッタリングしたレースに関するものである。
【背景技術】
【０００２】従来、レースに金属をスパッタリングして、ショーツやブラジャーなど女性の下着の部材として利用したものはなかった。
【発明の開示】
【発明が解決しようとする課題】
【０００３】レースにスパッタリング法でチタン、銀、銅、ステンレス、ニッケルまたはこれらの金属の合金を密着させて、体の熱を蓄熱し保温するレースはなかった。
【課題を解決するための手段】
【０００４】金属をレースの表面にスパッタリング法で密着させたことを特徴とし、レースの繊維としては合成繊維のポリエステル、ナイロン、アクリル、ポリウレタン、ポリエチレン、ポリプロピレンあるいはその混紡であるレースです。また金属は、チタン、銀、銅、ステンレス、ニッケルまたはこれらの金属の合金を特徴とするレース。
【発明の効果】
【０００５】レースにチタン、銀、銅、ステンレス、ニッケルまたはこれらの金属の合金を強固に密着させることにより、柔らかい風合いを維持しつつ、赤外線吸収機能を付与することで、より暖かいレースを提供することができる。また透湿性や通気性を変えないため蒸れにくい。
チタン、銀、銅、ステンレス、ニッケルまたはこれらの金属の合金をレースに付着させても、レース本来の柔らかさや通気性、肌触りが変わらない。また自由に任意の大きさに裁断することも容易である。
さらにチタン、銀、銅、ステンレス、ニッケルまたはこれらの金属の合金の極薄膜が繊維に密着し、赤外線吸収機能で体内から発散される熱練を吸収するので、高い蓄熱効果を持つ。このためレースの生地で十分保温効果を上げることができるため、薄くても保温性があり、暖かいレースを提供することができる。またスパッタリング法でチタン、銀、銅、ステンレス、ニッケルまたはこれらの金属の合金を密着させることにより、密着強度が高く、且つ繊維の柔軟性を変えない為、加工し易いという特徴がある。更に銀や銅などの抗菌性金属をつけることにより顕著な抗菌性が実現できる。
【発明を実施するための最良の形態】
【０００６】本発明は、レースにチタン、銀、銅、ステンレス、ニッケルまたはこれらの金属の合金をスパッタリング法で密着させた金属層とレースからなる。レースに加工を施すには、基材としてのレースを乾燥した後、密閉可能なケーシング内に広げ、その前方に棒状の陽極およびスパッタリング加工用の金属のターゲットを設置する。上記のケーシング内を１×１０−３Ｔｏｒｒ程度に減圧した後、アルゴンガスを導入してケーシング内の圧力を５×１０−４Ｔｏｒｒ程度の低圧アルゴンガス雰囲気に調整し、しかる後上記の陽極と陰極との間に４００〜８００Ｖ、２〜１００Ａの直流電流を流すと、陰極のターゲットから金属が飛び出し、レースの表面に密着される。
【図面の簡単な説明】
【０００７】
【図１】  本発明の断面を示した断面図である。
【図２】  ショーツのウエスト部分に本発明のレースを装着したことを示した図である。
【図３】  ショーツの両サイド部分に本発明のレースを装着したことを示した図である。
【符号の説明】
【０００８】１−−−  金属
２−−−  レース
３−−−  本発明のレース
４−−−  前身頃
５−−−  後身頃
【図１】
2006124894.tif 000003
【図２】
2006124894.tif 000004
【図３】
2006124894.tif 000005
(57)【要約】【課題】従来のテープを前にて連結するブラジャーでは、胸部から腹部まで締め付けるために呼吸するのにある程度の肺筋力が必要になり、中高齢者に不適でした、また、楽に着用するには、テープを緩めると背面中央部の交差部分は安定性がなく、ウェストのテープがずり上がり不便でした。【解決手段】ブラジャーの両側側面を従来の背面中央部より下方斜めに延長し、背面中央部をY字形にして中央部は角度を付け、Y字の両側中部にカギッホクを付け開閉自在、サイズ調節可能にする、また、Y字底辺部はベルト通しを付けてベルトを通し、ウェスト前面部分にて連結し、取り外し自在、調節自由とし、また、ベルトを取り付けずに使用することもできる。【選択図】図１
2006124850.tif 000002
【特許請求の範囲】
【請求項１】
ブラジャーの背面の形を従来の位置より側面部から斜め下方に延長し、ブラジャーの背面部をY字の形にして両方の肺呼吸によって側面から引き合う力をブラジャー背面中央上部に角度をつけることによって力を分散し、Y字中部両側にカギホックを着け開閉式にして、サイズ変更可能にし、Y字低部にベルト通し２段付を付けたブラジャーである。
【請求項２】
ベルトの前部を側面部、後部より細くし、ベルトをウェスト中央部にて着脱自在、調節自由にし、ベルトと背面部Y字型のブラシャーとを連結してなることを特徴とするベルト。
【発明の詳細な説明】
【技術分野】
【０００１】
本考案は、ブラジャーの胸部の締め付けを解消し、呼吸を楽にし、バストの形を美しく整え、食べ過ぎを抑制する、ベルト付きブラジャーに関するものである。
【背景技術】
【０００２】
従来のブラジャー背面中央部において連結するデザイン、背面中央部でテープが交差して、ウェスト部分でテープを連結するデザイン、ブラツキスリップ、ブラツキシャツがありました。
【発明の開示】
【発明が解決しようとする課題】
【０００３】
以上に述べた従来のブラジャーでは胸部、腹部を締め付けるので肺呼吸するためにある程度の筋肉活動が必要になり、中高齢者に不適でした、また、ウェスト部分においてテープを連結するデザインではテープを緩めると背面中央部の交差部分は安定性がなく、ウェストのテープがずり上がり不便でした。
【課題を解決するための手段】
【０００４】
ブラジャーの両側側面を従来の背面中央部より下方斜めに延長し、背面中央部をY字形にしてY字の両側中部にカギッホクを付け開閉自在にする、また、サイズ変更可能にし、Y字底辺部はベルト通し2段付を付けてベルトを通し、ウェスト前面部分で連結し、取り外し自在、調節自由とし、また、ベルトを取り付けずに使用することもできる。
【０００５】
ベルトは締め過ぎ防止のためウェスト前面部を側面部より細くして一定の位置以上ベルトが器具に入らないようにする。
【発明の効果】
【０００６】
本発明において、筋肉の衰えた中高年、体調のすぐれない人にとって、ブラジャーの使用は不可欠になった現在、胸部を締め付けることがなく、背面中央部を開放し、呼吸が楽にでき、ベルトはウェスト前面で簡単に取り外し、また、サイズを調節でき、また、食べ過ぎ予防に効果があります。
【発明を実施するための最良の形態】
【０００７】
本発明は、ブラジャーの両側側面部を斜め下に延長し背面中央部をY字型にし、Y字両側中間部にカギホックを付け開閉自在にする、また、サイズ変更可能にし、Y字型の底部にベルト通し２段付を付け、ベルトを通しウェスト前面部分において取り外し自在とし、サイズ調節自由にして、締め過ぎ防止のためベルト前面部を側面部より細くしベルト器具に側面部が入らないようにする。
【実施例１】
【０００８】
本発明を図面の実施例について説明すると図1は背面部、図２は前面部を示す。まず、図1ブラジャーを装着した背面部において、1側面部を斜め下方にY字形にし、４Y字両側中間部にカギホックを付け、２Y字形底辺部にベルト通しを2段付け、３ベルトを通す。
【実施例２】
【０００９】
図２ブラジャーを装着した前面部において、５ベルト側面部を示す、６ベルト中央部は５側面部よりベルトを細くし７ベルト器具にウェストサイズ以上は入らないようにする。
図３ブラジャー背面分解図である。
【産業上の利用可能性】
【００１０】
ブラジャーを使用してきた中高年にとって、ブラジャーを着けずに外出することはできませんが、従来のブラジャーを着けると、胸部を締め付けて呼吸が辛く、ブラジャー付のシャツはバストの形が定まらず、また、夏はブラジャー付きシャツを着ると暑く、身軽に動作ができませんせした。本発明を使えば、胸部を締め付けず、バストを美しく形作り、夏は涼しく身軽に動作ができます。
【図面の簡単な説明】
【００１１】
【図１】ベルト付きブラジャー背面部説明図である。（実施例１）
【図２】ベルト付きブラジャー前面部説明図である。（実施例２）
【図３】ベルト付きブラジャー背面分解説明図である。（実施例２）
【符号の説明】
【００１２】
１    ブラジャー背面部
２    ベルト通し
３    ベルト
４    カギホック
４’  カギホック
５    ベルト側面部
６    ベルト中央部
７    ベルト器具
８    カギホック
８’  カギホック
【図１】
2006124850.tif 000003
【図２】
2006124850.tif 000004
【図３】
2006124850.tif 000005
(57)【要約】      （修正有）【課題】ガラス板のアニールに要する時間を短縮するバッチ処理方法を提供する。【解決手段】アニール炉にチャンバーを結合し、予めチャンバー内で真空引きしたガラス板をアニール炉に送り出す。【選択図】図１
2006124263.tif 000002
【特許請求の範囲】
【請求項１】
ガラス板アニ−ルを高速化するため、アニ−ル炉に、チャンバ−を追加設置し、予備真空引きを行う。
【発明の詳細な説明】
【技術分野】
【０００１】本発明は、ガラス板のアニ−ルに関する。
【背景技術】
【０００２】  従来ガラス板をアニ−ルするには、
▲１▼ガラス板をアニ−ル炉に入れる
▲２▼アニ−ル炉を真空引きする
▲３▼炉内の真空が、所定の値になった後、不活性ガスを注入する。
▲４▼不活性ガスが炉内に充満し所定の値に達したあとヒ−タ−をＯＮして炉の温度を上げる
▲５▼炉の温度が所定の値になった時がアニ−ル開始時となる
▲６▼アニ−ル時間になった時ヒ−タ−をＯＦＦする。
▲７▼熱いガラス板を冷却してから炉から取り出す。
したがって、ガラス板を１バッチ、アニ−ルするには、毎回
▲２▼アニ−ル炉を真空引きする時間            （真空引き時間）
▲４▼不活性ガスを炉内に充満させる時間        （ガス充てん時間）
▲５▼炉内を所定の温度に加熱する時間          （加熱時間）
▲６▼アニ−ル時間                            （アニ−ル時間）
▲７▼ガラス板を冷却する時間                  （冷却時間）
これらの合計時間が必要となる
【発明が解決しようとする課題】
【０００３】ガラス板をアニ−ルするための時間を短くする。
【課題を解決するための手段】
【０００４】チャンバ−を用意し、ガラス板１バッチをこのチャンバ−内で、予め真空引きをしておきアニ−ル炉は、常時不活性ガス充てん、所定高温度に保ち、この状態で、チャンバ−とドッキングしてガラス板１バッチの入れ替えをする
【発明を実施するための最良の形態】
【０００５】発明の実施の形態を実施例にもとずき
図１、図２を参照して説明する
図１は、この装置の構造図である。
各機構の構造は以下の通りである
（１）チャンバ−
○同じもの２台
○ワ−クにかぶせる
○上部にシャッタ−が付いている
○シャッタ−の上面には、０リングが有り、アニ−ル炉とドッキングした時、ここでシ−ルする
○底面はシ−ル面となっており１．６Ｓに仕上げられておりこことタ−ンテ−ブル上面とでシ−ルされる
○リフタ−１が付いていて、これで、リフタ−２を持ちあげる
（２）チャンバ−ハンドラ−
○チャンバ−を持上げる構造となっている
（３）タ−ンテ−ブル
○チャンバ−を２台のせる
○１８０度交互反転する
○チャンバ−が置かれる位置の上面には
０リングが付いていて、ここでシ−ルされる
○チャンバ−の置かれる位置の中心にはリフタ−２がある
○リフタ−２の上面は、上下２体構造になっていて、上部はワ−クをアニ−ル炉に入れる時に、アニ−ル炉中に残り、ワ−クをのせておく
下部は、上下するアクチュエ−タ−に付いている
○全体が２０ｍｍ上下する
反転は下の位置で行い、反転終了後、上昇して、チャンバ−を上げアニ−ル炉下面とチャンバ−上面とを圧接ドッキングさせる
（４）アニ−ル炉
○底部にシャッタ−が付いている
○シャッタ−の下面は１．６Ｓに仕上げられていて、こことチャンバ−の上面とドッキングしてシ−ルされる
○ワ−クロックが付いている
これでリフタ−２の上部をロックし、これに乗っているワ−クをアニ−ル炉内に保持する
（５）シャッタ−開閉機構
○チャンバ−シャッタ−、アニ−ル炉シャッタ−を開閉する
図２は、この装置の動作説明図である
各タイミングにおける動作は下記のとうり
▲１▼チャンバ−の、ひとつが、チャンバ−ハンドラ−で持上げられ
ワ−クがタ−ンテ−ブル上に、のせられた
▲２▼チャンバ−ハンドラ−でチャンバ−がワ−クに、かぶせられた
ここでチャンバ−内、真空引きが開始され、所定の真空に達すると
▲３▼タ−ンテ−ブル反転し、上昇して
チャンバ−とアニ−ル炉がドッキングした
▲４▼○チャンバ−シャッタ−、アニ−ル炉シャッタ−、開く
○リフタ−１、２、上昇する
○ワ−クロック働く
▲５▼○リフタ−１、２下降する
○チャンバ−シャッタ−、アニ−ル炉シャッタ−閉じる
○アニ−ル開始する
他方（図右側）
前記▲１▼▲２▼の動作を行い真空引きを開始する
▲６▼○アニ−ル完了後
○２つのシャッタ−開く
○リフタ−１、２上昇する
○ワ−クロック解除
▲７▼○リフタ−１、２下降
○２つのシャッタ−閉じる
○チャンバ−内にＮ２注入、冷却開始
▲８▼○冷却完了後
○タ−ンテ−ブル下降
○タ−ンテ−ブル反転
○タ−ンテ−ブル上昇
2006124263.tif 000003
【発明の効果】
【０００６】従来ガラス板アニ−ルには各バッチ毎、毎回
○真空到達時間
○不活性ガス充てん時間
○温度到達時間
○アニ−ル時間
○冷却時間
の合計時間が必要であったが
本装置では、起動時のみ、これら５項目の合計時間となるが
次からは、各バッチ毎
○アニ−ル時間
○冷却時間
の合計時間で処理できるようになった
【図面の簡単な説明】
【図１】今回の発明の構造図
【図２】今回の発明の動作説明図
【図１】
2006124263.tif 000004
【図２】
2006124263.tif 000005
(57)【要約】【課題】本発明は季節や天候を問わず安定して供給でき、工期を安定化するための重量物基礎を提供することを主な目的としている。【解決手段】本発明に係る重量物基礎１は、側面１ａには階段２を設けると共に、底面１ｂには切り欠き３を設け、天面１ｃには積載物を固定するための固定穴４と、積載物を囲うフェンス等を取り付けられる取り付け穴５とを設け、季節や天候による工期の乱れを抑え、安定して重量物基礎１を供給することができることを特徴とする。【選択図】図１
2006124961.tif 000002
【特許請求の範囲】
【請求項１】
重量物を設置する際に用いる重量物基礎であって、側面には階段を設けると共に、底面には切り欠きを設け、天面には積載物を固定するための固定穴と、積載物を囲うフェンス等を取り付けられる取り付け穴とを設けることを特徴とする重量物基礎の構造。
【請求項２】
前記重量物基礎であって、該重量物基礎に取り付ける階段を、前記重量物基礎とは別に形成し、前記重量物基礎の設置場所の状況に合わせて前記階段の設置位置を適宜変更可能であることを特徴とする重量物基礎の構造。
【発明の詳細な説明】
【技術分野】
【０００１】
本発明は、重量物を設置する際に用いる重量物基礎に関するものである。
【背景技術】
【０００２】
図３に示すように重量物基礎３１は設置現場にてその都度その設置物に合わせて製作していた。
【０００３】
ところが、現場での作業は、天候に左右され、天候が悪いと製作が順延され工期が大幅に延びてしまうことがあった。また、重量物基礎は天面までの高さがあり、脚立等の道具を用いて天面に上がっていた。
【特許文献１】特開平１１−１５０３７６号公報
【発明の開示】
【発明が解決しようとする課題】
【０００４】
解決しようとする問題点は、季節や天候に左右されて基礎工事が順調に行えず、特に冬季には現場での製作ができず工期が延びてしまうという点である。また、重量物基礎の天面に上がるのが困難で作業性が悪いという点である。
【課題を解決するための手段】
【０００５】
そこで本発明は、季節や天候を問わず工期を安定化することを主な目的とし、その構造は、側面には階段を設けると共に、底面には切り欠きを設け、天面には積載物を固定するための固定穴と、積載物を囲うフェンス等を取り付けられる取り付け穴とを設けることを特徴とする。
【０００６】
また、重量物基礎に取り付ける階段を、重量物基礎とは別に形成し、重量物基礎の設置場所の状況に合わせて階段の設置位置を適宜変更可能であることを特徴とする。
【発明の効果】
【０００７】
本発明に係る重量物基礎は、側面には階段を設けると共に、底面には切り欠きを設け、上面には積載物を固定するための固定穴と、積載物を囲うフェンス等を取り付けられる取り付け穴とを設けるため、手待ち時間の削減によりコストの低減を図ることができる。また現場で製作するのではないので、工場で作り在庫しておくことが可能であるので、工期の遅れを抑え安定化できる。また、季節や気候に左右されず工事が可能になる。また、階段を設けることにより夏季のメンテナンスが容易に行えるようになる。
【発明を実施するための最良の形態】
【０００８】
本発明は、工期を安定化させるという目的を、部品点数を抑え、コストも抑えながら実現した。
【実施例１】
【０００９】
本発明に係る重量物基礎の実施例を図１の添付図面に基づいて説明する。
【００１０】
地面に重量物を設置する際に用いる重量物基礎１であって、側面１ａには階段２を設け、底面１ｂに切り欠き３を設ける。天面１ｃには重量物を固定するための固定穴４と、天面１ｃの周縁部にはフェンス等を取り付けるための取り付け穴５とを設ける。
【００１１】
重量物基礎１は現場ではなく工場で製作し、在庫しておき、天候には左右されず重量物基礎を安定して供給する。また、重量物基礎１を移動させるときには底面１ｂに設けられている切り欠き３にバール等の工具を差し込むことが可能である。
【００１２】
重量物基礎１はかなりの高さで製作されている。冬季には特に寒冷地帯においては積雪が予想され、重量物設置の前にあらかじめ重量物基礎１を置いたときに積雪すると、重量物基礎１の天面１ｃへ作業者はすぐ上がることができるが、積雪のない時季には天面１ｃに上がることは困難である。そこで、重量物基礎１の側面１ａには階段２を設け、積雪がない時季にも作業が容易に行えるようにする。それに伴い、安全性を考慮して、天面１ｃに設けた取り付け穴５に、フェンス等重量物基礎１の天面１ｃに容易には入れないような囲いを取り付ける。積雪時には階段２は大部分雪により覆い隠されるので雪から出ている部分は従来のものと変わりはなく、美観を損ねてしまうこともない。
【実施例２】
【００１３】
図６に本発明に係る重量物基礎の変形実施例を示す。重量物基礎６に設けられる階段７は基礎とは別部品にて構成してもよい。別部品であれば、階段７の取り付け位置を適宜変更可能となり、設置場所によっては作業のしやすいところに都度移動できる。
【産業上の利用可能性】
【００１４】
完成した重量物基礎は在庫し、必要なときにすぐ供給でき、底面に設けた切り欠きに工具を差し込み移動でき、気候や季節に左右されず工期を安定させることができる。
【図面の簡単な説明】
【００１５】
【図１】重量物基礎の実施例を示す説明図である。（実施例１）
【図２】重量物基礎の変形実施例を示す説明図である。（実施例２）
【図３】従来の重量物基礎を示す説明図である。
【符号の説明】
【００１６】
１    重量物基礎
１ａ  側面
１ｂ  底面
１ｃ  天面
２    階段
３    切り欠き
４    固定穴
５    取り付け穴
【図１】
2006124961.tif 000003
【図２】
2006124961.tif 000004
【図３】
2006124961.tif 000005
(57)【要約】【課題】水分がシーリング材を越えて背後に侵入した場合の他への漏水を効果的に防ぐことができ、水分が止水材を越えてその背後に侵入したのを容易に発見することができる目地止水構造を提供する。【解決手段】目地３に設けられた止水用シーリング材５の背後に、該シーリング材５を越えて侵入した水分を吸収する高分子吸水剤６が備えられている。該高分子吸水剤６の水分吸収による膨張付勢作用によって、前記シーリング材５が目地３の外方に変形等するようになされている。【選択図】      図１
2006124928.tif 000002
【特許請求の範囲】
【請求項１】
目地に設けられた止水用シーリング材の背後に、該シーリング材を越えて侵入した水分を吸収する高分子吸水剤が備えられていることを特徴とする目地止水構造。
【請求項２】
前記高分子吸水剤の水分吸収による膨張付勢作用によって、前記シーリング材が目地外方に変形及び／又は変位するようになされている請求項１に記載の目地止水構造。
【発明の詳細な説明】
【技術分野】
【０００１】
本発明は、建物の外壁目地などに用いられる目地止水構造に関する。
【背景技術】
【０００２】
例えば、建物の外壁目地には、漏水を防ぐ目的で、湿式あるいは乾式のシーリング材が設けられており、該シーリング材は、経年的に劣化していくことから、定期的に新しいものと交換していく必要がある。
【発明の開示】
【発明が解決しようとする課題】
【０００３】
しかしながら、シーリング材の交換時期の遅れや劣化の早期進行などによってシーリング材に切れなどの不具合を生じ、雨水などの水分がシーリング材を越えて背後に侵入し、他に漏水してしまうことがある。
【０００４】
また、シーリング材に水分侵入の原因となる不具合を生じていても、シーリング材を外観観察をするだけではそれを発見するのが難しく、対応に遅れを生じやすいという問題もある。
【０００５】
本発明は、上記のような問題点に鑑み、水分がシーリング材を越えて背後に侵入した場合の他への漏水を効果的に防ぐことができる目地止水構造を提供することを課題とする。また、本発明は、水分が止水材を越えてその背後に侵入したのを容易に発見することができる目地止水構造を提供することを課題とする。
【課題を解決するための手段】
【０００６】
上記の課題は、目地に設けられた止水用シーリング材の背後に、該シーリング材を越えて侵入した水分を吸収する高分子吸水剤が備えられていることを特徴とする目地止水構造によって解決される。
【０００７】
この構造では、シーリング材に切れなどの不具合を生じ、雨水などの水分がシーリング材を越えて背後に侵入すると、その水分を高分子吸水剤が吸収保持することによって、他への漏水が防がれる。
【０００８】
そして、上記の目地止水構造において、高分子吸水剤の水分吸収による膨張付勢作用によって、前記シーリング材が目地外方に変形及び／又は変位するようになされている場合は、水分がシーリング材を越えて背後に侵入すると、シーリング材が目地外方に変形及び／又は変位するので、水分がシーリング材を越えて背後に侵入したのを容易に発見することができて、対応を速やかに行うことができる。もちろん、シーリング材が目地外方に変形及び／又は変位をしても、高分子吸水剤が目地を止水状態にするので、対応までの間に漏水を起こすこともない。
【発明の効果】
【０００９】
本発明は、以上のとおりのものであるから、水分がシーリング材を越えて背後に侵入した場合の他への漏水を効果的に防ぐことができ、また、水分が止水材を越えてその背後に侵入したのを容易に発見することができる。
【発明を実施するための最良の形態】
【００１０】
次に、本発明の実施最良形態を図面に基づいて説明する。
【００１１】
図１（イ）に示す実施形態の目地止水構造は、建物の外壁縦目地に適用した場合のもので、１，１は外壁面材、２，２は下地材であり、目地３内の奥方側には、２次止水材としてのブチル系などの第２シーリング材４が設けられると共に、手前側、即ち屋外側には１次止水材としての変成シリコーン系、アクリル系などの第１シーリング材５が設けられ、そして、第１、第２のシーリング材４，５の間に高分子吸水剤６が備えられている。なお、７は柱などの建物構造部分である。
【００１２】
上記の目地止水構造では、経年劣化などにより第１シーリング材５に切れなどを生じ、雨水が第１シーリング材５を越えてその背後に侵入すると、その雨水を高分子吸水剤６が吸収保持し、他への漏水が防がれる。
【００１３】
そして、高分子吸水剤６は、雨水を吸収保持することによって、図１（ロ）に示すように、膨張し、その膨張付勢力によって第１シーリング材５が目地３の外方に変形し、それによって、雨水が第１シーリング材５を越えてその背後に侵入したのを容易に発見することができて、対応を速やかに行うことができる。対応までの間は、目地３は高分子吸水剤６によって止水されるので、他に漏水してしまうこともない。
【００１４】
以上に、本発明の実施形態を示したが、本発明はこれに限られるものではなく、発明思想を逸脱しない範囲で各種の変更が可能である。例えば、上記の実施形態では、シーリング材４，５が湿式のものである場合を示したが、ガスケットなどの乾式のシーリング材であってもよい。シーリング材は弾性型のものであってもよいし、非弾性型のものであってもよい。２次止水材としての第２シーリング材４の採用は任意である。
【００１５】
また、高分子吸水剤が備えられる位置ないし領域部分を示すシーリング材の「背後」の語は、シーリング材に切れなどの不具合がなければシーリング材が止水を行い、高分子吸水剤は水分吸収を行わず、シーリング材に切れなどの不具合を生じた場合にはじめて高分子吸水剤が水分の吸収を行うような位置ないし領域部分を意味し、シーリング材と高分子吸水剤とが前後に直列状態に配置されているか否かを問わない。
【００１６】
また、上記の実施形態では、高分子吸水剤６が水分を吸収して膨張すると、第１シーリング材５が目地３の外方に変形する場合を示しているが、高分子吸水剤６の膨張によって第１シーリング材５が目地外方に変位するようになされたものであってもよいし、変形と変位をともに行うようになされたものであってもよい。
【００１７】
更に、本発明の目地止水構造は、外壁面材間の目地に限らず、例えば、サッシ枠と外壁面材との間の止水構造として用いることができるものであるし、建物に限らず、浴室やキッチン等の水回りに存在する隙間の止水構造として用いることができるものである。
【図面の簡単な説明】
【００１８】
【図１】図（イ）は実施形態の目地止水構造を示す断面平面図、図（ロ）は高分子吸水剤の作動状態の一例を示す断面平面図である。
【符号の説明】
【００１９】
３…目地
５…シーリング材
６…高分子吸水剤
【図１】
2006124928.tif 000003
(57)【要約】【課題】ベアリングバーの上表面の面積を大きくして滑り止めのための凹凸が充分に形成されるようにし、またゴミや小石等がベアリングバー間に入りにくゝすると共に、入っても流出して目詰まりを生じにくゝするほか、ベアリングバーの剛性を高くし、しかも重心位置がベアリングバーの上下方向の中央と一致するようにし、製作時の歪みが生じにくゝするグレーチングを提供する。【解決手段】上端部１１ａの肉厚ｔ１と下側部１１ｂの肉厚ｔ２を大に、しかもｔ１＞ｔ２に形成し、上表面をギザギザの凹凸に形成する。【選択図】図４
2006124916.tif 000002
【特許請求の範囲】
【請求項１】
ベアリングバーと、並列するベアリングバーと直交して配置され、ベアリングバーを連結するクロスバーを有するグレーチングにおいて、ベアリングバーは下側部を肉厚に形成する一方、上端部を下側部より更に肉厚にして上表面に滑り止めのための凹凸を形成し、重心位置をベアリングバーの上下方向の中央或いはその付近に設けると共に、断面の上下で曲げに対する剛性に差の無い形態にしたことを特徴とするグレーチング。
【発明の詳細な説明】
【技術分野】
【０００１】
本発明は、橋梁、道路、工場等の床板として或いは溝蓋等として用いられるグレーチングに関する。
【背景技術】
【０００２】
この種のグレーチングは一般に、ベアリングバーと、並列するベアリングバーと直交して配置され、ベアリングバーを連結するクロスバーと、ベアリングバーの端部を連結するエンドプレートよりなっている。この種のグレーチングには、ベアリングバーの上表面に凹凸を形成して滑り止め機能を持たせたものがあるが、ベアリングバーの上表面の表面積が小さい場合、凹凸を形成しにくいことがあった。
【０００３】
従来のグレーチングではまた、ベアリングバーが図１に示すように断面がフラットであるか或いは断面Ｉ形をなすため、雨水と共に運ばれてきたゴミや小石１等がベアリングバー２、３間に挟まって目詰まりを起こし、これにより排水性能を低下させてしまうことがあった。
【０００４】
上記の問題を解消するため下記特許文献１には、ベアリングバーを断面Ｔ字状に形成して上表面の面積を大きくし、該表面に凹凸を形成して十分な滑り止め効果を発揮できるようにすると共に、ベアリングバー間の間隔を上表面間では狭く、それより下方では広く形成することにより、ゴミや小石等が入りにくゝし、入っても流出して目詰まりを生じにくゝしたグレーチングが提案されている。
【特許文献１】特開２００３−１３４８７号
【発明の開示】
【発明が解決しようとする課題】
【０００５】
特許文献１に示される断面Ｔ字状のベアリングバーは、重心位置が上側のフランジ側に偏っているため製作時に歪みができやすい。
上述する特許文献１に開示される瓦ではまた、断面の上下で曲げに対する剛性に差があり、強度的に最適な断面ではなかった。
【０００６】
本発明は、滑り止めのための凹凸が十分に形成できるように上表面の面積を大きくすること、ベアリングバー間の間隔を上表面間では狭く、それより下方では広く形成してゴミや小石が入りにくゝし、入っても流出して目詰まりを生じにくゝすることに加えて更に、製作時の歪みが出にくゝすると共に、断面の上下で曲げに対する剛性に差のない形態のベアリングバーを備えたグレーチングを提供することを目的とする。
【課題を解決するための手段】
【０００７】
本発明はしたがって、ベアリングバーと、並列するベアリングバーと直交して配置され、ベアリングバーを連結するクロスバーを有するグレーチングにおいて、ベアリングバーは下側部を肉厚に形成する一方、上端部を下側部より更に肉厚にして上表面に滑り止めのための凹凸を形成し、重心位置をベアリングバーの上下方向の中央或いはその付近に設けると共に、断面の上下で曲げに対する剛性に差の無い形態にしたことを特徴とする。
【発明の効果】
【０００８】
本発明のグレーチングによると、上端部が最も肉厚であることにより上表面の表面積が増し、上表面に形成される凹凸により滑り止め効果を充分に発揮できること、ベアリングバー間の間隔は上表面間で最も狭く、それより下方では広くなるため、ゴミや小石が入りにくゝ、入っても流出して目詰まりを生じにくいこと、ベアリングバーはまた、断面の上下で曲げに対する剛性に差がなく、曲げに対する断面の剛性が最適なものとなるため、グレーチングに必要な強度が得られること、等の効果を奏する。
【発明を実施するための最良の形態】
【０００９】
図３は、本発明に係わるグレーチングにおいて用いられるベアリングバー１１の斜視図、図４は断面図である。
【００１０】
ベアリングバー１１は図示されるように、上端部１１ａが肉厚で、上表面はギザギザの凹凸１２に形成され、また重心が位置するｃ−ｃ線より下側の下側部１１ｂも肉厚に形成されている。そしてその肉厚ｔ２は、上端部１１ａの肉厚ｔ１より小に形成され、重心位置がｃ−ｃ線上に位置するように形成してある。なお図示するベアリングバー１１は、上端部１１ａの上端が両側に若干突出しているが、突出させなくてもよい。
【００１１】
図５は、上述するベアリングバー１１を用いたグレーチング１４を示すもので、ベアリングバー１１と、並列するベアリングバー１１と直交して配置され、ベアリングバー１１を連結するクロスバー１３とよりなっている。
【図面の簡単な説明】
【００１２】
【図１】断面がフラットな従来のベアリングバーの断面図。
【図２】断面がＩ形をなす従来のベアリングバーの断面図。
【図３】本発明に係わるグレーチングにおいて用いられるベアリングバーの斜視図。
【図４】同断面図。
【図５】同ベアリングバーを用いたグレーチングの斜視図。
【符号の説明】
【００１３】
１１・・ベアリングバー
１１ａ・・上端部
１１ｂ・・下側部
１２・・凹凸
１３クロスバー
１４・・グレーチング
ｃ・・中立軸
【図１】
2006124916.tif 000003
【図２】
2006124916.tif 000004
【図３】
2006124916.tif 000005
【図４】
2006124916.tif 000006
【図５】
2006124916.tif 000007
(57)【要約】【目的】多層二分子膜の層間において、金属錯体を自己組織化させることにより、有機−無機複合組織が構築されているが、金属はその組織化構造の根幹を成す結合形成の中心的な役割を担っており、その種類や性質を自由に選んで活用することは、困難であった。【構成】配位子骨格に多重水素結合部位を導入して、その自己組織化能を利用することにより、種類に囚われず様々な遷移金属イオンを取り込んで形成する有機-無機複合膜組織の構築を実現した。【選択図】        図１
2006124349.tif 000002
【特許請求の範囲】
【請求項１】
配位子骨格に多重水素結合部位を導入して、その自己組織化能を利用することにより、中心金属として様々な金属イオンを取り込んで形成することを特徴とする有機-無機複合膜組織。
【請求項２】
請求項1において中心金属として遷移金属を用いたことを特徴とする有機-無機複合膜組織。
【請求項３】
遷移金属の種類を変えることで分光学的性質、磁気的性質及び電気化学的性質が変化することを特徴とする特許請求の範囲第１項または第２項に記載の有機-無機複合膜組織。
【請求項４】
中心金属の酸化数を変えることで分光学的性質及び磁気的性質が変化することを特徴とする特許請求の範囲第１項〜第３項に記載のいずれかに記載の有機-無機複合膜組織。
【請求項５】
中心金属に対して軸配位子を添加することで分光学的性質、磁気的性質及び電気化学的性質が変化することを特徴とする特許請求の範囲第１項〜第４項に記載のいずれかに記載の有機-無機複合膜組織。
【発明の詳細な説明】
【技術分野】
【０００１】
本発明は、自己組織化する遷移金属錯体のナノ薄膜構造体に関するものである。
【背景技術】
【０００２】
従来、多層二分子膜の層間において、金属錯体を自己組織化させることにより、有機−無機複合組織が構築されている。これら無機成分の自己組織化は、架橋型配位結合によってなされ、その金属周りの配位構造により次元構造も制御できることが知られている。しかし、その場合、金属はその組織化構造の根幹を成す結合形成の中心的な役割を担っており、その種類や性質を自由に選んで活用することは、困難であるという欠点があった。
【発明の開示】
【発明が解決しようとする課題】
【０００３】
本発明は、かかる欠点を解決することを目的として創案されたものである。
【課題を解決するための手段】
【０００４】
本発明者らはかかる目的を達成すべく鋭意検討を重ねた結果、配位子骨格に多重水素結合部位を導入して、その自己組織化能を利用することにより、種類に囚われず様々な遷移金属イオンを取り込んで形成する有機-無機複合膜組織の構築を実現した。
DAD型（D = プロトンドナー, A =プロトンアクセプター）の三重水素結合部位を有する金
属錯体は長鎖のアルキル基を有するカウンターカチオンと水溶液中で混合することにより、
金属錯体の水素結合による自己集合と疎水的相互作用による二分子膜の形成が同時に起こ
り、自発的にナノ薄膜構造体へと組み上がる。その際、金属はその組織化構造の根幹を成
す結合形成の中心的な役割を担っていないため、その種類や性質を自由に選んで入れ替え
ることが可能である。
自己集合の様式は、たとえばPh4P+[CoIII{Ph(bu)2}]-（Ph4P+=テトラフェニルホスフェート、Ph(bu)2 = オルトフェニレンビスビウレタト）の単結晶Ｘ線構造解析によって得られた図１に示す無限シート構造がある。
【発明の効果】
【０００５】
種類に囚われず様々な遷移金属イオンを取り込んで形成する有機-無機複合膜組織の構築できる。
【発明を実施するための最良の形態】
【０００６】
以下、実施例に基づいて本発明を具体的に説明する。
【実施例】
【０００７】
DAD型（D = プロトンドナー, A =プロトンアクセプター）の三重水素結合部位を有するK+[CoIII{Ph(bu)2}]-と、C18MeIm+Cl- (C18MeIm+ = 1-オクタデシル-3-メチルイミダゾリウム)を水溶液中において1:1で混合すると速やかに紫色に変化し、次いで約３０分後に金属光沢の様な斑のある銀色の溶液に変化した。吸収スペクトル変化から、混合直後に軸配位していた水分子が脱離して、反磁性種の六配位八面体構造から常磁性種である平面四配位構造に変化したことが示された。このサンプルについてSEM観察を行ったところ、厚さが15 nmで幅と長さが数mmオーダーの長方形の薄膜構造が確認された。これを図２に示す。
【０００８】
[CoIII{ph(bu)2}]-は、C18MeIm+をカウンターカチオンとすることで、錯体まわりに疎水場を形成し、配位していた水分子の脱離と水素結合可能な環境の形成を可能にした。
中心金属、酸化数、配位数の変化により様々な色を発現した。これらの結果を図３〜図５に示す。
図３は、中心金属をコバルト三価イオンとニッケル二価イオンを変換した場合である。この場合色は、シルバーからシルキーに変化した。
図４は、中心金属のコバルトの酸化数を三価から二価へ還元した場合である。この場合色は、シルバーからイエローに変化した。
図５は、中心金属のコバルト三価イオンに対して軸配位子を添加した場合である。この場合色は、シルバーからゴールドに変化した。
【図面の簡単な説明】
【０００９】
【図１】自己集合の様式を示す図である。
【図２】サンプルのＳＥＭ観察の図である。
【図３】中心金属をコバルト三価イオンとニッケル二価イオンを変換した場合の色の変化を示す図である。
【図４】中心金属のコバルトの酸化数を三価から二価へ還元した場合の色の変化を示す図である。
【図５】中心金属のコバルト三価イオンに対して軸配位子を添加した場合の色の変化を示す図である。
【図１】
2006124349.tif 000003
【図２】
2006124349.tif 000004
【図３】
2006124349.tif 000005
【図４】
2006124349.tif 000006
【図５】
2006124349.tif 000007
(57)【要約】【課題】従来の育毛剤にセンブリエキスが付随的に混入しているものが一般的であるが、本来持っている薬効を重視し、安全で高い効果を得られるリンドウ科植物成分と天然酵母エキスの核酸成分と天然ミネラル成分の組み合わせにより発毛・育毛・養毛効果や脱毛予防効果を促進し、解決する優れた発毛及び育毛の皮膚外用剤を提供することを課題とする。【解決手段】リンドウ科植物に共通する成分に着目し、それらを組み合わせることにより毛母細胞の活性化を促し、自浄活性作用を高めるために核酸物質及び天然ミネラル成分を配合して発毛・育毛剤とする。【選択図】なし【特許請求の範囲】
【請求項１】
リンドウ科植物に含まれる苦味配糖体と称されるセコイリドイド等のファイトケミカルと核酸成分を含む天然酵母とミネラル成分のにがり水を含有する発毛・育毛促進剤。
【請求項２】
セコイリドイドであるセンブリのスウェルチアマリンとリンドウの根（ゲンチアナ、竜胆）に含まれるゲンチオピクロシドのファイトケミカル成分抽出に天然ミネラル成分のにがり水を用いる発毛及び育毛促進剤。
【請求項３】
核酸成分を含む天然酵母エキスとミネラル成分を含む天然にがり水にセンブリとリンドウの根（ゲンチアナ、竜胆）の抽出成分を混合した発毛及び育毛促進剤。
【請求項４】
請求項１・請求項２・請求項３記載の発毛及び育毛促進剤であって、希釈溶媒としてエタノールを用いる発毛及び育毛剤。
【発明の詳細な説明】
【技術分野】
【０００１】
本発明は、発毛及び育毛に関するものであり、自然界にある天然有機成分を配合した栄養成分によって効能を示し、副作用がなく、薄毛、脱毛、などで悩む男性、女性に安心して提供できる発毛及び育毛剤。
【背景技術】
【０００２】
従来から、センブリエキスは、育毛剤に利用されている。この例として、特許文献１に
開示されているものがある。
【特許文献１】特開平５−９１０５号公報
【発明の開示】
【発明が解決しようとする課題】
【０００３】
しかし、従来のセンブリエキスの利用法は、ほとんどの育毛剤に混入しているにも関らずセンブリの効能を追求せず、民間薬としての伝承による使用法（アルコール成分での抽出）及び付随的な要素で使用されてきた。そこで薬効を重視し、植物成分と天然成分の組み合わせにより発毛・育毛に効果的な解決をすることを課題とする。
【課題を解決するための手段】
【０００４】
この課題を解決するための請求項１、請求項２、請求項３の発明のリンドウ科植物に属するセンブリとリンドウの根（ゲンチアナ、竜胆）は、セコイリドイド（苦味配糖体）のスウェルチアマリン、ゲンチオピクロシドとファイトケミカル（キサントン誘導体のスベルチアニン、フラボノイドのスウェルチシン、トリテルペンのオレアノール酸）などが含まれている。このセコイリドイド（苦味配糖体）は、胆汁、膵液、胃液、唾液、そしてコラーゲンの分泌を促進する。天然酵母に含まれる核酸は、成長ホルモンの分泌を促し、新陳代謝を活発にし、老化を防ぎ傷ついた遺伝子を修復する働きがある。これらをそれぞれ精製水とミネラル成分（Ｃａ、Ｍｇ、Ｋなど）を含む天然にがり水で加温抽出し、これらを混合することにより発毛及び育毛を促進することができる。
【０００５】
また、請求項４の発明は、希釈溶媒としてエタノールを用いることにより腐敗を防ぎ患部を清潔に保つことができる。
【発明の効果】
【０００６】
本発明により、リンドウ科植物（センブリ、ゲンチアナ）に含まれる成分と酵母エキスの核酸成分及び天然ミネラル成分が、毛母細胞の代謝を活発にし、毛根の自浄活性作用を高め、頭皮から外用するだけで発毛及び育毛に優れた効果を期待できる。同時に副作用は一切ないので安心して使用することができる。
【発明を実施するための最良の形態】
【０００７】
センブリとリンドウの根（竜胆）を天日乾燥し、細かく刻み、それぞれ鉄分を含まない耐熱容器で１００ｇに１リットルの精製水と５０ccのにがり水で半量になるまで煎じる。天然酵母も精製水で１：１０の割合をとろ火で半量になるまで煮詰める。それぞれ特殊フィルターで濾し冷ます。３種類を混合しその後エタノール４００ccを混ぜる。スプレー式の容器に入れ、薄毛、脱毛、禿の部分に振りかけ塗りすり込む。１日２回以上使用して１０日ぐらいから効果が出始め、２週間から３週間位でうぶ毛が出てくる。２ヶ月過ぎには、毛根の残っていなかったところから序次に硬毛が認められた。
【産業上の利用可能性】
【０００８】
本発明に係わる発毛及び育毛剤は、薄毛・脱毛・禿で悩む男女に問題の解決を提供し希望を与える。また工業的に量産する事が可能であるため、産業上の利用可能性を有する。
(57)【要約】【課題】  薬効成分が水や唾液で洗い流されることなく、効果を長時間持続させ、歯周病症状改善効果を高める用具を供給する。【解決手段】  成分が徐々に滲出するようゲル状に固めた薬剤を、ガムペースト様素材をシート状にしたものに付着させた絆創膏型治療具をつくる。【選択図】  図１
2006124364.tif 000002
【特許請求の範囲】
【請求項１】
主に歯周病治療、予防を目的とした歯茎等口内に貼る絆創膏
【発明の詳細な説明】
【技術分野】
【０００１】  この発明は、歯周病患部に貼りつける絆創膏型の治療具に関するものである。
【技術背景】
【０００２】  従来の歯周病治療、予防に使われる薬品、歯磨き剤、デンタルリンス等は、ほとんどのものが液状かペースト状であった。
【発明の開示】
【発明が解決しようとする課題】
【０００３】  そのため、口をすすぐと、歯周病に効果のある成分が洗い流され、希釈されてしまう。また、水で口をすすがないとしても、唾液で洗い流され、やはり薬効成分は薄まってしまい、歯磨きやデンタルリンスを使っている短い時間しか効果を発揮できない。
【課題を解決するための手段】
【０００４】  成分が徐々に滲出するようゲル状に固めた薬剤を、歯科用アルギン酸塩印象剤あるいはガムベースなどのガムペースト様素材をシート状にしたものに付着させた絆創膏型治療具をつくる。
【発明の効果】
【０００５】  塑性に富む素材で作られた絆創膏は、歯茎のどの部位にも柔軟に形を合わせ、隙間なく密着することができる。薬剤は密閉性の高いシート部分に遮蔽され、唾液で洗い流されることなく、長時間患部に薬効成分を供給することができ、今までと同じ薬剤でも、より歯周病症状改善効果が上がると思われる。長時間歯茎に貼りつけていても違和感が少なく、喋る邪魔にもならないので、食事、睡眠時以外の日常生活時間帯に常用できる。取り扱いも簡単である。シート部分にミントなどの味をつければ、チューインガムを口にする感覚で不快さを感じずに口内に留めておける。また、歯周病以外の歯茎等の創、炎症などの治療にも応用が可能と思われる。虫歯菌を殺す薬剤を使用し、歯に貼りつければ、虫歯予防、あるいはすでになっている虫歯進行を止める、等の効果も期待できる。
【発明を実施するための最良の形態】
【０００６】  歯科用アルギン酸塩印象剤等のガムペースト様素材をシート状にし、片面の中央部にゲル状に固めた薬剤を付着させる。シート部分に薬剤を含浸させ、成分が徐々に滲出し、なおかつ歯茎に貼りついていることが可能ならば、シート部分のみでも可。
【図面の簡単な説明】
【０００７】
【図１】  本発明の概観図である。
【図２】  本発明の使用図である。
【符号の説明】
【０００８】  １  シート部分
２  薬剤部分
【図１】
2006124364.tif 000003
【図２】
2006124364.tif 000004
(57)【要約】【課題】  従来は、痙攣の回復に特化した健康食品が見られなかったので、これに的を絞った抗痙攣剤及びこの抗痙攣剤を含む飲食品を提供する。【解決手段】  コモンセージ（Ｓａｌｖｉａ  ｏｆｆｉｃｉｎａｌｉｓ）の葉、ディル（Ａｎｅｔｈｕｍ  ｇｒａｖｅｏｌｅｎｓ）の種子・スイートバジル（Ｏｃｉｍｕｍ  ｂａｓｉｌｉｃｕｍ）の葉を含むことを特徴とした抗痙攣剤またはこれを含む健康食品、飲食品を摂取する。【特許請求の範囲】
【請求項１】
コモンセージの葉、ディルの種子、スイートバジルの葉を含むことを特徴とした抗痙攣剤。
【請求項２】
請求項１に記載の抗痙攣剤を含む健康食品。
【請求項３】
請求項１に記載の抗痙攣剤を含む飲食品。
【発明の詳細な説明】
【技術分野】
【０００１】  本発明は、抗痙攣剤及びこれを含む健康食品、飲食品に関する。
【背景技術】
【０００２】  痙攣の回復に有効な手段は、医師の治療の他に、漢方薬「芍薬甘草湯」があります。また健康食品に関しては、カリウム、カルシウム、ビタミンＢ６、マグネシウムを含むものが有効であると知られていますが、これに特化した商品が見られません。漢方薬「芍薬甘草湯」は即効性があり有用ですが、用いる場合は副作用に注意が必要です。
【発明の開示】
【発明が解決しようとする課題】
【０００３】  上の状況を鑑みて健康食品というかたちをとる抗痙攣剤、すなわち、抗痙攣作用を持ち副作用が少なく安全性が高い、また使用が簡便である点を満足するものを提供することを課題としました。
【課題を解決するための手段】
【０００４】  上記の目的を達成するため、コモンセージの葉、ディルの種子、スイートバジルの葉を含むことを特徴とした抗痙攣剤及びこれを含む健康食品、飲食品を摂取します。
【発明の効果】
【０００５】  課題の解決に当たって、どの食品に抗痙攣作用があるかということ。またひとつの原材料にはその作用がなくとも、ほかの食品を組み合わせることによって効果が得られる可能性があることに留意しました。そして、野菜、果物、ハーブ、現在健康食品として用いられている原材料等、膨大な数の材料に対して選定作業を行った結果、本原材料を決定するに至りました。それぞれの原材料に対して従前に明らかになっている効果は以下のとおりです。【０００６】  コモンセージは、シソ科の多年草で、和名を「薬用サルビア」といいます。古来より薬効があり芳香がすることから万能の薬草として重要なハーブとされており、「セージを自宅の庭に植えている人間がなぜ死ぬのか」等の格言もあります。その葉は、冠状動脈の血流を増し血管を拡張させ、血液の循環をよくし血圧および血糖値を下げつつ、血液中のコレステロール値をも下げ免疫反応を強化します。解熱、抗炎症、殺菌、神経強壮、消化促進、浄血作用にすぐれ、血糖値を正常化して糖尿病の治療効果もあります。ホルモンのバランスをとり月経周期を整えホットフラッシュなど更年期障害の治療にも利用できます。さらには、授乳期の乳の出を抑え、発汗を抑制し、頑固な鼻づまりを緩和する働きもあります。最近では神経伝達物質アセチルコリンを破壊するアセチルコリンエステラーゼを阻害する働きがあり集中力と記憶力を高めて心を平穏にし、頭をすっきりさせることもわかってきました。また、抗酸化作用が強く老化防止や体の調子を整える効果もあり「若返りのハーブ」「不老のハーブ」とも呼ばれています。外用では抗菌、止血鎮痛作用があり、口内炎、歯茎の止血、うがい薬、抜け毛の予防等にも使用されていました。筋肉疲労回復効果もあります。その他、肉の臭み消し、殺菌力、酸化防止作用をいかして肉の保存の際に使われます。【０００７】  ディルはセリ科の一年草で、その種子は、鎮静・睡眠・消化促進、駆風作用があることが知られています。【０００８】  スイートバジルはシソ科の一年草で、古代ギリシャ貴人は薬物、香水、浴物に用いました。ギリシャ語の「王者のハーブ」を意味するバジリコン・プトンの略語が名前になったことからも、古来より非常に効果がある植物として扱われてきたことが分かります。和名は、「メボウキ」（目箒）といって種子を目薬として使っていたためにつけられた名前です。その葉は、頭痛、のどの痛み、咳、風邪、口内炎、神経痛、呼吸困難に対して効果があり消化補助、精神安定作用があることも知られています。外用としては、虫刺され、かゆみ、炎症に用いられます。その他エッセンシャルオイルとして、ハーブの中でも最高の神経強壮作用があります。精神疲労、眠気目覚まし、頭痛、めまい、鼻づまり、緊張、月経痛（使用に対しては注意が必要）に対して用いられます。【０００９】  どの原材料も古くから薬用として親しまれていますが、抗痙攣作用があることは知られていませんでした。しかし、今回それぞれに抗痙攣作用があること、また同時に用いることによって特に優れた抗痙攣作用を発揮することを発見しました。加えて、本原材料は長年に渡り料理の材料に使われてきたので安全性が確立されています。【００１０】  発明を実施するための最良の形態に記載の方法によって作られた抗痙攣剤を、痙攣の症状のある方４人（足のつりが主症状）に１日あたり０．２〜０．４ｇの範囲（症状によって前後しますが、１日に０．３６ｇを摂取することを目標にすれば問題ない）で２週間を目標に食していただきました。その後、すべての人に対して以前からの症状が消失したという結果が得られました。従いまして、痙攣に優れた効果があることがいえます。【００１１】  その他の利点としては、原材料の産地を限定する必要がないことが挙げられます。原材料によっては、産地によって効果が大きく変わるものがあるため生産性という観点から見たとき、影響が大きい場合が多々あります。しかし本原材料は、そのようなことがないため安定的に安く入手することができます。また、発明を実施するための最良の形態に記載の製造方法にあるとおり、原材料から成分を抽出する必要がないため工程が簡単で、コストを安価に抑えることもできます。
【発明を実施するための最良の形態】
【実施例】
【００１２】  コモンセージの葉、ディルの種子、スイートバジルの葉を乾燥、粉末化したものを重量比、７：４：１５で混合し、できたものが目的の抗痙攣剤です。１日あたり０．３６ｇを目安に１回ないし複数回に分けて食し２週間程度続けます。飲食品に混ぜる場合は、摂氏６０度以上の熱を加えないように注意します。